(57)【特許請求の範囲】
【請求項１】
エネルギー使用量が使用エネルギー計画値を上回る場合に被空調空間に対して定められている温熱環境の設定値を省エネルギー方向へ変更する設定値管理方法において、
前記温熱環境の設定値の運用履歴を前記被空調空間の系統毎に記憶する運用履歴記憶ステップと、
前記系統毎に前記温熱環境の基準設定値を記憶する基準設定値記憶ステップと、
前記エネルギー使用量が前記使用エネルギー計画値を上回った場合、前記系統毎の基準設定値と温熱環境の設定値の運用履歴とに基づいて、前記系統毎の温熱環境の設定値を変更する際の優先順位を決定する優先順位決定ステップとを備え、
前記優先順位決定ステップは、
前記系統毎に前記基準設定値と前記温熱環境の設定値の運用履歴で最も頻度の高い設定値との偏差を求め、その偏差に基づいて前記系統毎の優先順位を決定する
ことを特徴とする設定値管理方法。
【請求項２】
エネルギー使用量が使用エネルギー計画値を上回る場合に被空調空間に対して定められている温熱環境の設定値を省エネルギー方向へ変更する設定値管理方法において、
前記温熱環境の設定値の運用履歴を前記被空調空間の系統毎に記憶する運用履歴記憶ステップと、
前記系統毎に前記温熱環境の基準設定値を記憶する基準設定値記憶ステップと、
前記エネルギー使用量が前記使用エネルギー計画値を上回った場合、前記系統毎の基準設定値と温熱環境の設定値の運用履歴とに基づいて、前記系統毎の温熱環境の設定値を変更する際の優先順位を決定する優先順位決定ステップと、
前記系統毎の温熱環境の設定値の運用履歴に基づいてその系統における温熱環境の設定値の制限値を設定する制限値設定ステップと、
前記決定された系統毎の優先順位に従って、上位の系統からその系統に対して設定された前記制限値まで、予め定められた緩和幅毎にその系統の温熱環境の設定値を省エネルギー方向へ緩和して行き、上位の系統が制限値に到達したら次の系統についても同様にしてその系統の温熱環境の設定値の緩和を行う温熱環境設定値緩和ステップと
を備えることを特徴とする設定値管理方法。
【請求項３】
請求項１又は２に記載された設定値管理方法において、
前記基準設定値は、現在の温熱環境の設定値である
ことを特徴とする設定値管理方法。
【請求項４】
請求項１又は２に記載された設定値管理方法において、
前記基準設定値は、予め定められた省エネルギー設定値である
ことを特徴とする設定値管理方法。
【請求項５】
請求項１〜４の何れか１項に記載された設定値管理方法において、
前記温熱環境の設定値の変更後、その温熱環境の実際値が変更された温熱環境の設定値に到達したら、予め定められた所定時間の経過を待って、変更された温熱環境の設定値を徐々に変更前の設定値の方向に戻して行く設定値復帰ステップ
を備えることを特徴とする設定値管理方法。
【請求項６】
エネルギー使用量が使用エネルギー計画値を上回る場合に被空調空間に対して定められている温熱環境の設定値を省エネルギー方向へ変更する設定値管理装置において、
前記温熱環境の設定値の運用履歴を前記被空調空間の系統毎に記憶する運用履歴記憶手段と、
前記系統毎に前記温熱環境の基準設定値を記憶する基準設定値記憶手段と、
前記エネルギー使用量が前記使用エネルギー計画値を上回った場合、前記系統毎の基準設定値と前記系統毎の温熱環境の設定値の運用履歴とに基づいて、前記系統毎の温熱環境の設定値を変更する際の優先順位を決定する優先順位決定手段とを備え、
前記優先順位決定手段は、
前記系統毎に前記基準設定値と前記温熱環境の設定値の運用履歴で最も頻度の高い設定値との偏差を求め、その偏差に基づいて前記系統毎の優先順位を決定する
ことを特徴とする設定値管理装置。
【請求項７】
エネルギー使用量が使用エネルギー計画値を上回る場合に被空調空間に対して定められている温熱環境の設定値を省エネルギー方向へ変更する設定値管理装置において、
前記温熱環境の設定値の運用履歴を前記被空調空間の系統毎に記憶する運用履歴記憶手段と、
前記系統毎に前記温熱環境の基準設定値を記憶する基準設定値記憶手段と、
前記エネルギー使用量が前記使用エネルギー計画値を上回った場合、前記系統毎の基準設定値と前記系統毎の温熱環境の設定値の運用履歴とに基づいて、前記系統毎の温熱環境の設定値を変更する際の優先順位を決定する優先順位決定手段と、
前記系統毎の温熱環境の設定値の運用履歴に基づいてその系統における温熱環境の設定値の制限値を設定する制限値設定手段と、
前記決定された系統毎の優先順位に従って、上位の系統からその系統に対して設定された前記制限値まで予め定められた緩和幅毎にその系統の温熱環境の設定値を省エネルギー方向へ緩和して行き、上位の系統が制限値に到達したら次の系統についても同様にしてその系統の温熱環境の設定値の緩和を行う温熱環境設定値緩和手段と
を備えることを特徴とする設定値管理装置。
【請求項８】
請求項７に記載された設定値管理装置において、
前記基準設定値は、現在の温熱環境の設定値である
ことを特徴とする設定値管理装置。
【請求項９】
請求項７に記載された設定値管理装置において、
前記基準設定値は、予め定められた省エネルギー設定値である
ことを特徴とする設定値管理装置。
【請求項１０】
請求項６〜９の何れか１項に記載された設定値管理装置において、
前記温熱環境の設定値の変更後、その温熱環境の実際値が変更された温熱環境の設定値に到達したら、予め定められた所定時間の経過を待って、変更された温熱環境の設定値を徐々に変更前の設定値の方向に戻して行く設定値復帰手段
を備えることを特徴とする設定値管理装置。
【発明の詳細な説明】
【技術分野】
【０００１】
この発明は、エネルギー使用量が使用エネルギー計画値を上回る場合に被空調空間に対して定められている温熱環境の設定値を省エネルギー方向へ変更する設定値管理方法および装置に関するものである。
【背景技術】
【０００２】
従来より、テナントなどの建物においては、エネルギー使用量が使用エネルギー計画値を上回る場合、建物内の居住空間の快適さを損なわない範囲でエネルギー使用量の削減を図るようにしている（例えば、特許文献１、段落〔０００２〕の記載参照）。
【０００３】
このために、テナントなどの建物においては、居住空間に対して定められている温度設定値を省エネルギー方向へ変更して、エネルギーの使用量を削減するということが行われる。例えば、冷房時であれば温度設定値を高めに変更し、暖房時であれば温度設定値を低めに変更する（特許文献２参照）。
【先行技術文献】
【特許文献】
【０００４】
【特許文献１】特開２００５−１２２４８２号公報
【特許文献２】特開２００８−２８６４４５号公報
【発明の概要】
【発明が解決しようとする課題】
【０００５】
しかしながら、建物内には被空調空間として様々な状況の部屋やゾーンがあるため、これら系統が異なる被空調空間に対して一度に温度設定値を変更したのでは、居住者にとって快適性を損ねる場合があった。すなわち、不快感を早く感じる人が多い被空調空間では、すぐにクレームが発生する。
【０００６】
このように、予測が困難な不本意な状況が想定されるため、使用エネルギー計画値を予め定める場合においても、その実績の効果に対する信頼性に疑問が生じ、計画の実践に支障が生じる。結果的に、快適性と省エネルギー実現というトレードオフの影響が想定できないと、使用エネルギー計画値を定めた省エネルギー施策は実施され難くなる。
【０００７】
本発明は、このような課題を解決するためになされたもので、その目的とするところは、テナントビルなどの各種の建物において、省エネルギーを実現しながら、系統が異なる被空調空間の快適性の犠牲を実質的に軽減することが可能な設定値管理方法および装置を提供することにある。
【課題を解決するための手段】
【０００８】
このような目的を達成するために本発明は、エネルギー使用量が使用エネルギー計画値を上回る場合に被空調空間に対して定められている温熱環境の設定値を省エネルギー方向へ変更する設定値管理方法において、温熱環境の設定値の運用履歴を被空調空間の系統毎に記憶する運用履歴記憶ステップと、系統毎に温熱環境の基準設定値を記憶する基準設定値記憶ステップと、エネルギー使用量が使用エネルギー計画値を上回った場合、系統毎の基準設定値と温熱環境の設定値の運用履歴とに基づいて、系統毎の温熱環境の設定値を変更する際の優先順位を決定する優先順位決定ステップとを備え、優先順位決定ステップは、系統毎に基準設定値と温熱環境の設定値の運用履歴で最も頻度の高い設定値との偏差を求め、その偏差に基づいて系統毎の優先順位を決定することを特徴とする。なお、本発明は、設定値管理方法としてではなく、この方法を適用した設定値管理装置としても実現することができる。
【０００９】
この発明によれば、エネルギー使用量が使用エネルギー計画値を上回った場合、系統毎に基準設定値と温熱環境の設定値の運用履歴で最も頻度の高い設定値との偏差が求められ、その偏差に基づいて系統毎の優先順位が決定される。例えば、その偏差に基づいて、過去の運用がより快適性を犠牲にしている系統から優先順位が定められる。
【００１０】
本発明では、決定された系統毎の優先順位に従って、上位の系統からその温熱環境の設定値が省エネルギー方向へ変更されて行く。この場合、例えば、系統毎の温熱環境の設定値の運用履歴に基づいてその系統における温熱環境の設定値の制限値を設定し、上位の系統からその系統に対して設定された制限値まで、予め定められた緩和幅毎にその系統の温熱環境の設定値を省エネルギー方向へ緩和して行き、上位の系統が制限値に到達したら次の系統についても同様にしてその系統の温熱環境の設定値の緩和を行うようにする。
【００１１】
また、本発明において、基準設定値は現在の温熱環境の設定値としてもよいし、予め定められた省エネルギー設定値としてもよい。また、本発明において、温熱環境の設定値は例えば温度設定値を指すが、温度設定値に限られるものではない。
【００１２】
また、本発明において、温熱環境の設定値の変更後、その温熱環境の実際値が変更された温熱環境の設定値に到達したら、予め定められた所定時間の経過を待って、変更された温熱環境の設定値を徐々に変更前の設定値の方向に戻して行くようにしてもよい。これにより、例えば、ある系統で、温熱環境の設定値が緩和され、その温熱環境の実際値が緩和された温熱環境の設定値に到達すると、所定時間の経過を待って、その緩和された温熱環境の設定値が徐々に緩和前の設定値の方向に戻されて行く。この場合、必ずしも完全に緩和前の設定値に戻さなくてもよい。
【００１３】
建物のエネルギー管理は、建物オーナが自前で省エネルギー施策を検討し実施することは少なく、多くの場合に建築業者や省エネルギー支援サービスを業務とするベンダー（ＥＳＣＯ業者など）が、省エネルギー施策を検討し、顧客に当たる建物オーナに提案する。この場合、省エネルギーを促進する（つまりエネルギー消費を抑制する）ためのパラメータ設定などが提案されるが、設定した抑制手段が省エネルギーの目標値をクリアするために十分に機能していたとしても、トレードオフとして快適性が想定以上に損なわれる可能性もあり、それがどの程度になるかは、その設定で通年を運用してみなければわからなかった。しかし、建物の省エネ検討や実施は、調査など含めて工数や経費が必要になるので、運用以前にベンダーと顧客が契約を結ばなければならない。したがって、契約し運用した後に、想定以上に快適性が損なわれている場合は、温度設定などを見直す必要が生じ、これによって省エネルギー効果が損なわれる場合にはベンダー側が不足分を補償するなど、事業リスクは避けられない。また、顧客にとっても、補償があればよいというものではなく、想定通りの効果に近づくことが、望ましい結果である。すなわち、顧客から見れば試行運用の以前に大きな投資の制約があり、投資リスクが伴うことになる。
【００１４】
このような事業構造を鑑みれば、単に省エネルギー施策が検討されるだけではなく、運用しながら快適性を可能な限り犠牲にしない方法を選択していける機能（状況対応機能）を付加することで、ベンダー側の事業リスク感を低減できると同時に、顧客側にとっても投資リスク感を低減することで、省エネルギー施策の実施が促進され易くなる。すなわち、契約の上でもベンダーと顧客の合意が得られ易くなり、省エネルギー施策の運用も促進されることになる。なお、建物利用者（あるいは建物オーナ）が自主的に省エネルギー施策を実施する場合においても、実施責任者側のリスク感や居住者側のリスク感が、同様に施策実施の支障になるので、上記の状況対応機能を付加することは有用である。
【００１５】
本発明では、エネルギー使用量が使用エネルギー計画値を上回った場合、系統毎の基準設定値と温熱環境の設定値の運用履歴とに基づいて、系統毎の温熱環境の設定値を変更する際の優先順位を決定することにより、比較的クレームが出る確率が少ない系統の被空調空間からその温熱環境の設定値の変更を行うようにすることが可能となる。この比較的クレームが出る確率が少ない系統を選択する機能が状況対応機能である。このような系統の温熱環境の設定値を、優先的に省エネルギー側に緩和することで、系統が異なる被空調空間の快適性の犠牲が実質的に軽減される。
【００１６】
また、省エネルギーのために一方的に温熱環境の設定値を緩和するのではなく、周期的に快適な状況を作り出すことによって、居住者の快適性をある程度確保し、継続的に省エネルギーを行っていく機能をさらに付加するとよい。温熱環境の設定値を緩和した場合、空調制御の特性上、ある一定時間は快適性に大きな支障を発生させずに、空調機の出力を大きく低減できる。例えば、冷房の場合、室内温度が設定値まで上昇するにはある程度の時間が掛かる。これにより省エネルギー効果が確保される。その後、室内温度が上昇し、実際に快適性が犠牲になり始める。この状態では居住者からクレームが発生する確率が高まり、省エネルギーとしての温度設定値の緩和を継続することが困難になる確率も高まる。建物管理者としては、居住者からのクレームに対応せざるを得ず、温度設定値を元に戻す場合が多い。そこで、居住者が不快と感じ始める頃に温度設定値を少しずつ戻して、再度快適な状態を作り、クレームを未然に防止するようにする。
【００１７】
これを実現するために、本発明では、温熱環境の設定値の変更後、その温熱環境の実際値が変更された温熱環境の設定値に到達したら、予め定められた所定時間の経過を待って、変更された温熱環境の設定値を徐々に変更前の設定値の方向に戻して行くようにする。
【発明の効果】
【００１８】
本発明によれば、エネルギー使用量が使用エネルギー計画値を上回った場合、系統毎の基準設定値と温熱環境の設定値の運用履歴とに基づいて、系統毎の温熱環境の設定値を変更する際の優先順位を決定するようにしたので、比較的クレームが出る確率が少ない系統の被空調空間からその温熱環境の設定値の変更を行うようにして、テナントビルなどの各種の建物において、省エネルギーを実現しながら、系統が異なる被空調空間の快適性の犠牲を実質的に軽減することが可能となる。
【図面の簡単な説明】
【００１９】
【図１】本発明に係る設定値管理方法の実施に用いるシステムの一例を示す構成図である。
【図２】このシステムにおける設定値管理装置での冷房時の温度設定値の運用履歴の作成例を示す図である。
【図３】このシステムにおける設定値管理装置での暖房時の温度設定値の運用履歴の作成例を示す図である。
【図４】このシステムにおける設定値管理装置が有する省エネルギー機能の第１例の冷房の場合の動作を説明するフローチャートである。
【図５】このシステムにおける設定値管理装置が有する省エネルギー機能の第１例の冷房の場合の各系統の運用履歴と各種設定値とを関連付けて示した図である。
【図６】このシステムにおける設定値管理装置が有する省エネルギー機能の第１例の暖房の場合の動作を説明するフローチャートである。
【図７】このシステムにおける設定値管理装置が有する省エネルギー機能の第１例の暖房の場合の各系統の運用履歴と各種設定値とを関連付けて示した図である。
【図８】このシステムにおける設定値管理装置が有する省エネルギー機能の第２例の冷房の場合の動作を説明するフローチャートである。
【図９】このシステムにおける設定値管理装置が有する省エネルギー機能の第２例の冷房の場合の各系統の運用履歴と各種設定値とを関連付けて示した図である。
【図１０】このシステムにおける設定値管理装置が有する省エネルギー機能の第２例の暖房の場合の動作を説明するフローチャートである。
【図１１】このシステムにおける設定値管理装置が有する省エネルギー機能の第２例の暖房の場合の各系統の運用履歴と各種設定値とを関連付けて示した図である。
【図１２】温度設定値を周期的に緩和する場合の動作例を説明する図である。
【発明を実施するための形態】
【００２０】
以下、本発明の実施の形態を図面に基づいて詳細に説明する。図１はこの発明に係る設定値管理方法の実施に用いるシステムの一例を示す構成図である。
【００２１】
図１において、１−１〜１−４は被空調空間、ＡＨＵ１〜ＡＨＵ４は被空調空間１−１〜１−４に対して設けられた空調機、ＵＴ１〜ＵＴ４は被空調空間１−１〜１−４に対して設けられた室内温度調節器、Ｓ１〜Ｓ４は被空調空間１−１〜１−４に対して設けられた室内温度センサ、２は被空調空間１−１〜１−４における室内温度の設定値を管理する設定値管理装置である。
【００２２】
以下、被空調空間１−１の系統名を「ＡＨＵ−１」、被空調空間１−２の系統名を「ＡＨＵ−２」、被空調空間１−３の系統名を「ＡＨＵ−３」、被空調空間１−４の系統名を「ＡＨＵ−４」とする。
【００２３】
このシステムにおいて、設定値管理装置２には、室内温度調節器ＵＴ１〜ＵＴ４からの室内温度の調節値Δｘ１〜Δｘ４、室内温度センサＳ１〜Ｓ３からの室内温度の計測値ｔｐｖ１〜ｔｐｖ４、システム全体の現在のエネルギーの使用量ＰＷｒおよび予め定められた使用エネルギーの計画値ＰＷｐが与えられる。
【００２４】
設定値管理装置２は、室内温度調節器ＵＴ１〜ＵＴ４からの室内温度の調節値Δｘ１〜Δｘ４を入力とし、被空調空間１−１〜１−４に対する温度設定値を調節し、現在の温度設定値ｔｓｐ１〜ｔｓｐ４として空調機ＡＨＵ１〜ＡＨＵ４へ送る。
【００２５】
設定値管理装置２は、プロセッサや記憶装置からなるハードウェアと、これらのハードウェアと協働して各種機能を実現させるプログラムとによって実現され、本実施の形態特有の機能として系統毎の温度設定値の運用履歴の作成機能２Ａおよびエネルギー使用量が使用エネルギー計画値を上回った場合の省エネルギー機能２Ｂを有している。
【００２６】
〔温度設定値の運用履歴の作成機能〕
図２に冷房時の温度設定値の運用履歴の作成例を示し、図３に暖房時の温度設定値の運用履歴の作成例を示す。設定値管理装置２は、系統毎に、例えば、１℃毎の温度幅の区分（温度帯）を定め、この区分に入った温度設定値の累積時間を温度設定値の運用履歴として作成する。この運用履歴は、メモリに格納され、所定時間毎に更新される。
【００２７】
この例は、過去１ヶ月間の運用履歴を示しており、図２に示した冷房時の温度設定値の運用履歴では、系統「ＡＨＵ−１」について、２２℃以上２３℃未満であった累積時間が１２０時間、２３℃以上２４℃未満であった累積時間が４００時間、２４℃以上２５℃未満であった累積時間が２００時間として運用履歴テーブルＴＢ１に書き込まれている。他の系統「ＡＨＵ−２」，「ＡＨＵ−３」，「ＡＨＵ−４」についても、同様にして、その区分に入った温度設定値の累積時間が書き込まれている。
【００２８】
図３に示した暖房時の温度設定値の運用履歴では、系統「ＡＨＵ−１」について、２０℃以上２１℃未満であった累積時間が１２０時間、２１℃以上２２℃未満であった累積時間が４００時間、２２℃以上２３℃未満であった累積時間が２００時間として、運用履歴テーブルＴＢ２に書き込まれている。他の系統「ＡＨＵ−２」，「ＡＨＵ−３」，「ＡＨＵ−４」についても、同様にして、その区分に入った温度設定値の累積時間が書き込まれている。
【００２９】
〔省エネルギー機能：第１例（基準設定値を現在の温度設定値とする）〕
設定値管理装置２が有する省エネルギー機能の第１例について説明する。この省エネルギー機能の第１例では、各系統の基準設定値を現在の温度設定値とする。なお、この省エネルギー機能の第１例では、各系統に対して温度設定値を省エネルギー方向へ緩和する場合の緩和幅を定めるが、この緩和幅は冷房の場合にはα＝＋１℃とし、暖房の場合にはβ＝−１℃とする。
【００３０】
〔冷房の場合〕
冷房の場合のフローチャートを図４に示す。設定値管理装置２は、システム全体の現在のエネルギーの使用量ＰＷｒを監視し、このエネルギーの使用量ＰＷｒが使用エネルギーの計画値ＰＷｐを上回ると（ステップＳ１０１のＹＥＳ）、以下に説明する省エネルギー動作を開始する。
【００３１】
〔制限温度値の決定〕
設定値管理装置２は、省エネルギー動作として、先ず、各系統の温度設定値の制限値（制限温度値）を決定する（ステップＳ１０２）。この場合、冷房時の温度設定値の運用履歴（図２）において、累積時間が書き込まれている区分（温度帯）中、最も高い温度帯の上限温度値を制限温度値とする。
【００３２】
この例では、図５に示すように、系統「ＡＨＵ−１」の制限温度値が２５℃未満（２４℃〜の区分の上限温度値）とされ、系統「ＡＨＵ−２」の制限温度値が２６℃未満（２５℃〜の区分の上限温度値）とされ、系統「ＡＨＵ−３」の制限温度値が２７℃未満（２６℃〜の区分の上限温度値）とされ、系統「ＡＨＵ−４」の制限温度値が２８℃未満（２７℃〜の区分の上限温度値）とされる。なお、この制限温度値は、運用履歴を用いないで、手入力で設定してもよい。
【００３３】
〔優先順位の決定〕
次に、設定値管理装置２は、各系統の現在の温度設定値を基準設定値とする（ステップＳ１０３）。この例では、系統「ＡＨＵ−１」の現在の温度設定値ｔｓｐ１が２４℃、系統「ＡＨＵ−２」の現在の温度設定値ｔｓｐ２が２５℃、系統「ＡＨＵ−３」の現在の温度設定値ｔｓｐ３が２５℃、系統「ＡＨＵ−４」の現在の温度設定値ｔｓｐ４が２５℃であるとする。この場合、系統「ＡＨＵ−１」の基準設定値ｔｒ１は２４℃とされ、系統「ＡＨＵ−２」の基準設定値ｔｒ２は２５℃とされ、系統「ＡＨＵ−３」の基準設定値ｔｒ３は２５℃とされ、系統「ＡＨＵ−４」の基準設定値ｔｒ４は２５℃とされる。
【００３４】
次に、設定値管理装置２は、各系統について基準設定値と運用履歴上で最も頻度の高い温度設定値との偏差Δｔを下記（１）式によって求める（ステップＳ１０４）。なお、この例では、運用履歴中の累積時間の最も長い区分を最も頻度の高い区分とし、その区分（温度幅）の中央値を運用履歴上で最も頻度の高い温度設定値とする。
Δｔ＝基準設定値（現在の温度設定値）−運用履歴上で最も頻度の高い温度設定値  ・・・・（１）
【００３５】
この場合、運用履歴上で最も頻度の高い温度設定値は、系統「ＡＨＵ−１」では２３．５℃、系統「ＡＨＵ−２」では２４．５℃、系統「ＡＨＵ−３」では２５．５℃、系統「ＡＨＵ−４」では２６．５℃となる。したがって、系統「ＡＨＵ−１」の偏差Δｔ１はΔｔ１＝２４−２３．５＝０．５、系統「ＡＨＵ−２」の偏差Δｔ２はΔｔ２＝２５−２４．５＝０．５、系統「ＡＨＵ−３」の偏差Δｔ３はΔｔ３＝２５−２５．５＝−０．５、系統「ＡＨＵ−４」の偏差Δｔ４はΔｔ４＝２５−２６．５＝−１．５となる。
【００３６】
そして、設定値管理装置２は、この求めた系統毎の偏差Δｔに基づいて、Δｔの小さい方から順に優先順位をつける（ステップＳ１０５）。この例では、Δｔ１＝０．５、Δｔ２＝０．５、Δｔ３＝−０．５、Δｔ４＝−１．５として得られるので、系統「ＡＨＵ−４」、系統「ＡＨＵ−３」、系統「ＡＨＵ−２」，「ＡＨＵ−１」の順に優先順位がつけられる。この場合、系統「ＡＨＵ−４」が優先順位第１位、系統「ＡＨＵ−３」が優先順位第２位とされる。なお、系統「ＡＨＵ−２」，「ＡＨＵ−１」は同順位であるが、系統「ＡＨＵ−２」が優先順位第３位、系統「ＡＨＵ−１」が優先順位第４位とされるものとする。
【００３７】
〔優先順位に従う系統毎の温度設定値の変更〕
〔優先順位第１位の系統〕
次に、設定値管理装置２は、Ｎ＝１とし（ステップＳ１０６）、優先順位Ｎ＝１（第１位）の系統「ＡＨＵ−４」の温度設定値ｔｓｐ４を基準設定値ｔｒ４とし（ステップＳ１０８）、この温度設定値ｔｓｐ４に緩和幅αを加算して、ｔｓｐ４＝ｔｓｐ４＋αとする（ステップＳ１１０）。この場合、基準設定値ｔｒ４は２５℃（現在の温度設定値）であり、緩和幅αは＋１℃であるので、温度設定値ｔｓｐ４は２６℃とされる。
【００３８】
そして、この温度設定値ｔｓｐ４を空調機ＡＨＵ４に出力し（温度設定値ｔｓｐ４の２６℃への変更を行い）、所定の効果時間を待って、エネルギーの使用量ＰＷｒが使用エネルギーの計画値ＰＷｐ以下となったか否かを確認する（ステップＳ１０９）。ここで、エネルギーの使用量ＰＷｒがまだ使用エネルギーの計画値ＰＷｐを上回っていれば（ステップＳ１０９のＮＯ）、温度設定値ｔｓｐ４にさらに緩和幅αを加算して（ステップＳ１１０）、温度設定値ｔｓｐ４を２７℃とする。
【００３９】
そして、この温度設定値ｔｓｐ４を空調機ＡＨＵ４に出力し（温度設定値ｔｓｐ４の２７℃への変更を行い）、所定の効果時間を待って、エネルギーの使用量ＰＷｒが使用エネルギーの計画値ＰＷｐ以下となったか否かを確認する（ステップＳ１０９）。ここで、エネルギーの使用量ＰＷｒがまだ使用エネルギーの計画値ＰＷｐを上回っていれば（ステップＳ１０９のＮＯ）、温度設定値ｔｓｐ４にさらに緩和幅αを加算して（ステップＳ１１０）、温度設定値ｔｓｐ４を２８℃とする。
【００４０】
〔優先順位第２位の系統〕
ここで、温度設定値ｔｓｐ４＝２８℃はステップＳ１０２で決定した系統「ＡＨＵ−４」の制限温度値である２８℃未満を上回っている（ステップＳ１１１のＹＥＳ）。このため、設定値管理装置２は、温度設定値ｔｓｐ４の２８℃への変更は行わずに、優先順位ＮをＮ＋１＝２（第２位）とし（ステップＳ１１２）、優先順位Ｎ＝２の系統「ＡＨＵ−３」の温度設定値ｔｓｐ３を基準設定値ｔｒ３とし（ステップＳ１０８）、この温度設定値ｔｓｐ３に緩和幅αを加算して、ｔｓｐ３＝ｔｓｐ３＋αとする（ステップＳ１１０）。この場合、基準設定値ｔｒ３は２５℃（現在の温度設定値）であり、緩和幅αは＋１℃であるので、温度設定値ｔｓｐ３は２６℃とされる。
【００４１】
そして、この温度設定値ｔｓｐ３を空調機ＡＨＵ３に出力し（温度設定値ｔｓｐ３の２６℃への変更を行い）、所定の効果時間を待って、エネルギーの使用量ＰＷｒが使用エネルギーの計画値ＰＷｐ以下となったか否かを確認する（ステップＳ１０９）。ここで、エネルギーの使用量ＰＷｒがまだ使用エネルギーの計画値ＰＷｐを上回っていれば（ステップＳ１０９のＮＯ）、温度設定値ｔｓｐ３にさらに緩和幅αを加算して（ステップＳ１１０）、温度設定値ｔｓｐ３を２７℃とする。
【００４２】
〔優先順位第３位の系統〕
ここで、温度設定値ｔｓｐ４＝２７℃はステップＳ１０２で決定した系統「ＡＨＵ−３」の制限温度値である２７℃未満を上回っている（ステップＳ１１１のＹＥＳ）。このため、設定値管理装置２は、温度設定値ｔｓｐ４の２７℃への変更は行わずに、優先順位ＮをＮ＋１＝３（第３位）とし（ステップＳ１１２）、優先順位Ｎ＝３の系統「ＡＨＵ−２」の温度設定値ｔｓｐ２を基準設定値ｔｒ２とし（ステップＳ１０８）、この温度設定値ｔｓｐ２に緩和幅αを加算して、ｔｓｐ２＝ｔｓｐ２＋αとする（ステップＳ１１０）。この場合、基準設定値ｔｒ２は２５℃（現在の温度設定値）であり、緩和幅αは＋１℃であるので、温度設定値ｔｓｐ２は２６℃とされる。
【００４３】
〔優先順位第４位の系統〕
ここで、温度設定値ｔｓｐ２＝２６℃はステップＳ１０２で決定した系統「ＡＨＵ−２」の制限温度値である２６℃未満を上回っている（ステップＳ１１１のＹＥＳ）。このため、設定値管理装置２は、温度設定値ｔｓｐ２の２６℃への変更は行わずに、優先順位ＮをＮ＋１＝４（第４位）とし（ステップＳ１１２）、優先順位Ｎ＝４の系統「ＡＨＵ−１」の温度設定値ｔｓｐ１を基準設定値ｔｒ１とし（ステップＳ１０８）、この温度設定値ｔｓｐ１に緩和幅αを加算して、ｔｓｐ１＝ｔｓｐ１＋αとする（ステップＳ１１０）。この場合、基準設定値ｔｒ１は２４℃（現在の温度設定値）であり、緩和幅αは＋１℃であるので、温度設定値ｔｓｐ１は２５℃とされる。
【００４４】
ここで、温度設定値ｔｓｐ１＝２５℃はステップＳ１０２で決定した系統「ＡＨＵ−１」の制限温度値である２５℃未満を上回っている（ステップＳ１１１のＹＥＳ）。このため、設定値管理装置２は、温度設定値ｔｓｐ１の２５℃への変更は行わずに、優先順位ＮをＮ＋１＝５とする（ステップＳ１１２）。この場合、優先順位Ｎ＝５は、最大優先順位Ｎｍａｘ（この例では、Ｎｍａｘ＝４）を超えているので（ステップＳ１０７のＹＥＳ）、一連の省エネルギー動作を終了する。
【００４５】
なお、上述した省エネルギー動作の過程において、エネルギーの使用量ＰＷｒが使用エネルギーの計画値ＰＷｐ以下となった場合には（ステップＳ１０９のＹＥＳ）、温度設定値の変更で対処することができたものとして、その時点で省エネルギー動作を終了する。
【００４６】
また、上述した例において、系統「ＡＨＵ−１」，「ＡＨＵ−２」では温度設定値の変更は行われないが、緩和幅αを加算した後の温度設定値がその系統の制限温度値を上回っていなければ、すなわち制限温度値を超えていなければ、系統「ＡＨＵ−１」，「ＡＨＵ−２」でも系統「ＡＨＵ−３」，「ＡＨＵ−４」と同様にして温度設定値の変更（緩和）が行われて行く。
【００４７】
このようにして、この省エネルギー機能の第１例では、冷房の場合、現在の温度設定値を基準設定値とし、各系統について基準設定値と運用履歴上で最も頻度の高い温度設定値との偏差Δｔを求め、この偏差Δｔの小さい方から順に優先順位をつけることにより、現在の温度設定値と比較して、過去の運用がより快適性を犠牲にしている系統から温度設定値の変更が行われて行くものとなり、すなわち比較的クレームが出る確率が少ない系統からその温度設定値の変更が行われて行くものとなり、省エネルギーを実現しながら、系統が異なる被空調空間の快適性の犠牲を実質的に軽減することができるようになる。なお、この例では偏差Δｔの小さい方から順に優先順位をつけるようにしたが、偏差Δｔの大きい方から順に優先順位をつけるようにすれば、より省エネを得やすくなる。
【００４８】
〔暖房の場合〕
暖房の場合のフローチャートを図６に示す。設定値管理装置２は、システム全体の現在のエネルギーの使用量ＰＷｒを監視し、このエネルギーの使用量ＰＷｒが使用エネルギーの計画値ＰＷｐを上回ると（ステップＳ２０１のＹＥＳ）、以下に説明する省エネルギー動作を開始する。
【００４９】
〔制限温度値の決定〕
設定値管理装置２は、省エネルギー動作として、先ず、各系統の温度設定値の制限値（制限温度値）を決定する（ステップＳ２０２）。この場合、暖房時の温度設定値の運用履歴（図３）において、累積時間が書き込まれている区分（温度帯）中、最も低い温度帯の下限温度値を制限温度値とする。
【００５０】
この例では、図７に示すように、系統「ＡＨＵ−１」の制限温度値が２０℃（２０℃〜の区分の下限温度値）とされ、系統「ＡＨＵ−２」の制限温度値が２１℃（２１℃〜の区分の下限温度値）とされ、系統「ＡＨＵ−３」の制限温度値が２２℃（２２℃〜の区分の下限温度値）とされ、系統「ＡＨＵ−４」の制限温度値が２３℃（２３℃〜の区分の下限温度値）とされる。なお、この制限温度値は、運用履歴を用いないで、手入力で設定してもよい。
【００５１】
〔優先順位の決定〕
次に、設定値管理装置２は、各系統の現在の温度設定値を基準設定値とする（ステップＳ２０３）。この例では、系統「ＡＨＵ−１」の現在の温度設定値ｔｓｐ１が２１℃、系統「ＡＨＵ−２」の現在の温度設定値ｔｓｐ２が２３℃、系統「ＡＨＵ−３」の現在の温度設定値ｔｓｐ３が２４℃、系統「ＡＨＵ−４」の現在の温度設定値ｔｓｐ４が２３℃であるとする。この場合、系統「ＡＨＵ−１」の基準設定値ｔｒ１は２１℃とされ、系統「ＡＨＵ−２」の基準設定値ｔｒ２は２３℃とされ、系統「ＡＨＵ−３」の基準設定値ｔｒ３は２４℃とされ、系統「ＡＨＵ−４」の基準設定値ｔｒ４は２３℃とされる。
【００５２】
次に、設定値管理装置２は、各系統について基準設定値と運用履歴上で最も頻度の高い温度設定値との偏差Δｔを下記（２）式によって求める（ステップＳ２０４）。なお、この例では、運用履歴中の累積時間の最も長い区分を最も頻度の高い区分とし、その区分（温度幅）の中央値を運用履歴上で最も頻度の高い温度設定値とする。
Δｔ＝基準設定値（現在の温度設定値）−運用履歴上で最も頻度の高い温度設定値  ・・・・（２）
【００５３】
この場合、運用履歴上で最も頻度の高い温度設定値は、系統「ＡＨＵ−１」では２１．５℃、系統「ＡＨＵ−２」では２２．５℃、系統「ＡＨＵ−３」では２３．５℃、系統「ＡＨＵ−４」では２４．５℃となる。したがって、系統「ＡＨＵ−１」の偏差Δｔ１はΔｔ１＝２１−２１．５＝−０．５、系統「ＡＨＵ−２」の偏差Δｔ２はΔｔ２＝２３−２２．５＝０．５、系統「ＡＨＵ−３」の偏差Δｔ３はΔｔ３＝２４−２３．５＝０．５、系統「ＡＨＵ−４」の偏差Δｔ４はΔｔ４＝２３−２４．５＝−１．５となる。
【００５４】
そして、設定値管理装置２は、この求めた系統毎の偏差Δｔに基づいて、Δｔの大きい方から順に優先順位をつける（ステップＳ２０５）。この例では、Δｔ１＝−０．５、Δｔ２＝０．５、Δｔ３＝０．５、Δｔ４＝−１．５として得られるので、系統「ＡＨＵ−２」，系統「ＡＨＵ−３」、系統「ＡＨＵ−１」，「ＡＨＵ−４」の順に優先順位がつけられる。この場合、系統「ＡＨＵ−２」，「ＡＨＵ−３」は同順位であるが、系統「ＡＨＵ−２」が優先順位第１位、系統「ＡＨＵ−３」が優先順位第２位とされるものとする。そして、系統「ＡＨＵ−１」が優先順位第３位、系統「ＡＨＵ−４」が優先順位第４位とされるものとする。
【００５５】
〔優先順位に従う系統毎の温度設定値の変更〕
〔優先順位第１位の系統〕
次に、設定値管理装置２は、Ｎ＝１とし（ステップＳ２０６）、優先順位Ｎ＝１（第１位）の系統「ＡＨＵ−２」の温度設定値ｔｓｐ２を基準設定値ｔｒ２とし（ステップＳ２０８）、この温度設定値ｔｓｐ２に緩和幅βを加算して、ｔｓｐ４＝ｔｓｐ４＋βとする（ステップＳ２１０）。この場合、基準設定値ｔｒ２は２３℃（現在の温度設定値）であり、緩和幅βは−１℃であるので、温度設定値ｔｓｐ４は２２℃とされる。
【００５６】
そして、この温度設定値ｔｓｐ２を空調機ＡＨＵ２に出力し（温度設定値ｔｓｐ２の２２℃への変更を行い）、所定の効果時間を待って、エネルギーの使用量ＰＷｒが使用エネルギーの計画値ＰＷｐ以下となったか否かを確認する（ステップＳ２０９）。ここで、エネルギーの使用量ＰＷｒがまだ使用エネルギーの計画値ＰＷｐを上回っていれば（ステップＳ２０９のＮＯ）、温度設定値ｔｓｐ２にさらに緩和幅βを加算して（ステップＳ２１０）、温度設定値ｔｓｐ４を２１℃とする。
【００５７】
そして、この温度設定値ｔｓｐ２を空調機ＡＨＵ２に出力し（温度設定値ｔｓｐ２の２１℃への変更を行い）、所定の効果時間を待って、エネルギーの使用量ＰＷｒが使用エネルギーの計画値ＰＷｐ以下となったか否かを確認する（ステップＳ２０９）。ここで、エネルギーの使用量ＰＷｒがまだ使用エネルギーの計画値ＰＷｐを上回っていれば（ステップＳ２０９のＮＯ）、温度設定値ｔｓｐ４にさらに緩和幅βを加算して（ステップＳ２１０）、温度設定値ｔｓｐ４を２０℃とする。
【００５８】
〔優先順位第２位の系統〕
ここで、温度設定値ｔｓｐ２＝２０℃はステップＳ２０２で決定した系統「ＡＨＵ−２」の制限温度値である２１℃を下回っている（ステップＳ２１１のＹＥＳ）。このため、設定値管理装置２は、温度設定値ｔｓｐ２の２０℃への変更は行わずに、優先順位ＮをＮ＋１＝２（第２位）とし（ステップＳ２１２）、優先順位Ｎ＝２の系統「ＡＨＵ−３」の温度設定値ｔｓｐ３を基準設定値ｔｒ３とし（ステップＳ２０８）、この温度設定値ｔｓｐ３に緩和幅βを加算して、ｔｓｐ３＝ｔｓｐ３＋βとする（ステップＳ２１０）。この場合、基準設定値ｔｒ３は２４℃（現在の温度設定値）であり、緩和幅βは−１℃であるので、温度設定値ｔｓｐ３は２３℃とされる。
【００５９】
そして、この温度設定値ｔｓｐ３を空調機ＡＨＵ３に出力し（温度設定値ｔｓｐ３の２３℃への変更を行い）、所定の効果時間を待って、エネルギーの使用量ＰＷｒが使用エネルギーの計画値ＰＷｐ以下となったか否かを確認する（ステップＳ２０９）。ここで、エネルギーの使用量ＰＷｒがまだ使用エネルギーの計画値ＰＷｐを上回っていれば（ステップＳ２０９のＮＯ）、温度設定値ｔｓｐ３にさらに緩和幅βを加算して（ステップＳ２１０）、温度設定値ｔｓｐ３を２２℃とする。
【００６０】
そして、この温度設定値ｔｓｐ３を空調機ＡＨＵ３に出力し（温度設定値ｔｓｐ３の２２℃への変更を行い）、所定の効果時間を待って、エネルギーの使用量ＰＷｒが使用エネルギーの計画値ＰＷｐ以下となったか否かを確認する（ステップＳ２０９）。ここで、エネルギーの使用量ＰＷｒがまだ使用エネルギーの計画値ＰＷｐを上回っていれば（ステップＳ２０９のＮＯ）、温度設定値ｔｓｐ３にさらに緩和幅βを加算して（ステップＳ２１０）、温度設定値ｔｓｐ３を２１℃とする。
【００６１】
〔優先順位第３位の系統〕
ここで、温度設定値ｔｓｐ３＝２１℃はステップＳ２０２で決定した系統「ＡＨＵ−３」の制限温度値である２２℃を下回っている（ステップＳ２１１のＹＥＳ）。このため、設定値管理装置２は、温度設定値ｔｓｐ３の２２℃への変更は行わずに、優先順位ＮをＮ＋１＝３（第３位）とし（ステップＳ２１２）、優先順位Ｎ＝３の系統「ＡＨＵ−１」の温度設定値ｔｓｐ１を基準設定値ｔｒ１とし（ステップＳ２０８）、この温度設定値ｔｓｐ１に緩和幅βを加算して、ｔｓｐ１＝ｔｓｐ１＋βとする（ステップＳ２１０）。この場合、基準設定値ｔｒ１は２１℃（現在の温度設定値）であり、緩和幅βは−１℃であるので、温度設定値ｔｓｐ１は２０℃とされる。
【００６２】
そして、この温度設定値ｔｓｐ１を空調機ＡＨＵ１に出力し（温度設定値ｔｓｐ１の２０℃への変更を行い）、所定の効果時間を待って、エネルギーの使用量ＰＷｒが使用エネルギーの計画値ＰＷｐ以下となったか否かを確認する（ステップＳ２０９）。ここで、エネルギーの使用量ＰＷｒがまだ使用エネルギーの計画値ＰＷｐを上回っていれば（ステップＳ２０９のＮＯ）、温度設定値ｔｓｐ１にさらに緩和幅βを加算して（ステップＳ２１０）、温度設定値ｔｓｐ１を１９℃とする。
【００６３】
〔優先順位第４位の系統〕
ここで、温度設定値ｔｓｐ１＝１９℃はステップＳ２０２で決定した系統「ＡＨＵ−２」の制限温度値である２０℃を下回っている（ステップＳ２１１のＹＥＳ）。このため、設定値管理装置２は、温度設定値ｔｓｐ１の１９℃への変更は行わずに、優先順位ＮをＮ＋１＝４（第４位）とし（ステップＳ２１２）、優先順位Ｎ＝４の系統「ＡＨＵ−４」の温度設定値ｔｓｐ４を基準設定値ｔｒ４とし（ステップＳ２０８）、この温度設定値ｔｓｐ４に緩和幅βを加算して、ｔｓｐ４＝ｔｓｐ４＋βとする（ステップＳ２１０）。この場合、基準設定値ｔｒ４は２３℃（現在の温度設定値）であり、緩和幅βは−１℃であるので、温度設定値ｔｓｐ４は２２℃とされる。
【００６４】
ここで、温度設定値ｔｓｐ４＝２２℃はステップＳ２０２で決定した系統「ＡＨＵ−１」の制限温度値である２３℃を下回っている（ステップＳ２１１のＹＥＳ）。このため、設定値管理装置２は、温度設定値ｔｓｐ４の２２℃への変更は行わずに、優先順位ＮをＮ＋１＝５とする（ステップＳ２１２）。この場合、優先順位Ｎ＝５は、最大優先順位Ｎｍａｘ（この例では、Ｎｍａｘ＝４）を超えているので（ステップＳ２０７のＹＥＳ）、一連の省エネルギー動作を終了する。
【００６５】
なお、上述した省エネルギー動作の過程において、エネルギーの使用量ＰＷｒが使用エネルギーの計画値ＰＷｐ以下となった場合には（ステップＳ２０９のＹＥＳ）、温度設定値の変更で対処することができたものとして、その時点で省エネルギー動作を終了する。
【００６６】
また、上述した例において、系統「ＡＨＵ−４」では温度設定値の変更は行われないが、緩和幅βを加算した後の温度設定値がその系統の制限温度値を下回っていなければ、すなわち制限温度値を超えていなければ、系統「ＡＨＵ−４」でも系統「ＡＨＵ−１」，「ＡＨＵ−２」，「ＡＨＵ−３」と同様にして温度設定値の変更（緩和）が行われて行く。
【００６７】
このようにして、この省エネルギー機能の第１例では、暖房の場合、現在の温度設定値を基準設定値とし、各系統について基準設定値と運用履歴上で最も頻度の高い温度設定値との偏差Δｔを求め、この偏差Δｔの大きい方から順に優先順位をつけることにより、現在の温度設定値と比較して、過去の運用がより快適性を犠牲にしている系統から温度設定値の変更が行われて行くものとなり、すなわち比較的クレームが出る確率が少ない系統からその温度設定値の変更が行われて行くものとなり、省エネルギーを実現しながら、系統が異なる被空調空間の快適性の犠牲を実質的に軽減することができるようになる。なお、この例では偏差Δｔの大きい方から順に優先順位をつけるようにしたが、偏差Δｔの小さい方から順に優先順位をつけるようにすれば、より省エネを得やすくなる。
【００６８】
〔省エネルギー機能：第２例（基準設定値を省エネルギー設定値とする）〕
設定値管理装置２が有する省エネルギー機能の第２例について説明する。この省エネルギー機能の第２例では、各系統の基準設定値を予め定められる省エネルギー設定値とする。なお、この省エネルギー機能の第２例でも、各系統について温度設定値を省エネルギー方向へ緩和する場合の緩和幅を定め、この緩和幅を冷房の場合にはα＝＋１℃とし、暖房の場合にはβ＝−１℃とする。また、この例において、各系統の省エネルギー設定値は冷房の場合は全て２６℃として定められ、暖房の場合は全て２０℃として定められているものとする。
【００６９】
〔冷房の場合〕
冷房の場合のフローチャートを図８に示す。設定値管理装置２は、システム全体の現在のエネルギーの使用量ＰＷｒを監視し、このエネルギーの使用量ＰＷｒが使用エネルギーの計画値ＰＷｐを上回ると（ステップＳ３０１のＹＥＳ）、以下に説明する省エネルギー動作を開始する。
【００７０】
〔制限温度値の決定〕
設定値管理装置２は、省エネルギー動作として、先ず、各系統の温度設定値の制限値（制限温度値）を決定する（ステップＳ３０２）。この場合、冷房時の温度設定値の運用履歴（図２）において、累積時間が書き込まれている区分（温度帯）中、最も高い温度帯の上限温度値を制限温度値とする。
【００７１】
この例では、図９に示すように、系統「ＡＨＵ−１」の制限温度値が２５℃未満（２４℃〜の区分の上限温度値）とされ、系統「ＡＨＵ−２」の制限温度値が２６℃未満（２５℃〜の区分の上限温度値）とされ、系統「ＡＨＵ−３」の制限温度値が２７℃未満（２６℃〜の区分の上限温度値）とされ、系統「ＡＨＵ−４」の制限温度値が２８℃未満（２７℃〜の区分の上限温度値）とされる。なお、この制限温度値は、運用履歴を用いないで、手入力で設定してもよい。
【００７２】
〔優先順位の決定〕
次に、設定値管理装置２は、各系統の省エネルギーの設定値を基準設定値とする（ステップＳ３０３）。この例では、各系統の省エネルギーの設定値が２６℃として定められているので、系統「ＡＨＵ−１」の基準設定値ｔｒ１、系統「ＡＨＵ−２」の基準設定値ｔｒ２、系統「ＡＨＵ−３」の基準設定値ｔｒ３、系統「ＡＨＵ−４」の基準設定値ｔｒ４は、何れも２６℃とされる。
【００７３】
次に、設定値管理装置２は、各系統について基準設定値と運用履歴上で最も頻度の高い温度設定値との偏差Δｔを下記（３）式によって求める（ステップＳ３０４）。なお、この例でも、運用履歴中の累積時間の最も長い区分を最も頻度の高い区分とし、その区分（温度幅）の中央値を運用履歴上で最も頻度の高い温度設定値とする。
Δｔ＝基準設定値（省エネルギーの設定値）−運用履歴上で最も頻度の高い温度設定値  ・・・・（３）
【００７４】
この場合、運用履歴上で最も頻度の高い温度設定値は、系統「ＡＨＵ−１」では２３．５℃、系統「ＡＨＵ−２」では２４．５℃、系統「ＡＨＵ−３」では２５．５℃、系統「ＡＨＵ−４」では２６．５℃となる。したがって、系統「ＡＨＵ−１」の偏差Δｔ１はΔｔ１＝２６−２３．５＝２．５、系統「ＡＨＵ−２」の偏差Δｔ２はΔｔ２＝２６−２４．５＝１．５、系統「ＡＨＵ−３」の偏差Δｔ３はΔｔ３＝２６−２５．５＝０．５、系統「ＡＨＵ−４」の偏差Δｔ４はΔｔ４＝２６−２６．５＝−０．５となる。
【００７５】
そして、設定値管理装置２は、この求めた系統毎の偏差Δｔに基づいて、Δｔの小さい方から順に優先順位をつける（ステップＳ３０５）。この例では、Δｔ１＝２．５、Δｔ２＝１．５、Δｔ３＝０．５、Δｔ４＝−０．５として得られるので、系統「ＡＨＵ−４」、系統「ＡＨＵ−３」、系統「ＡＨＵ−２」、「ＡＨＵ−１」の順に優先順位がつけられる。この場合、系統「ＡＨＵ−４」が優先順位第１位、「ＡＨＵ−３」が優先順位第２位、系統「ＡＨＵ−２」が優先順位第３位、系統「ＡＨＵ−４」が優先順位第４位とされる。
【００７６】
〔優先順位に従う系統毎の温度設定値の変更〕
〔優先順位第１位の系統〕
次に、設定値管理装置２は、Ｎ＝１とし（ステップＳ３０６）、優先順位Ｎ＝１（第１位）の系統「ＡＨＵ−４」の温度設定値ｔｓｐ４を基準設定値ｔｒ４とする（ステップＳ３０８）。そして、温度設定値ｔｓｐ４を空調機ＡＨＵ４に出力し（温度設定値ｔｓｐ４の２６℃への変更を行い）、所定の効果時間を待って、エネルギーの使用量ＰＷｒが使用エネルギーの計画値ＰＷｐ以下となったか否かを確認する（ステップＳ３０９）。
【００７７】
ここで、エネルギーの使用量ＰＷｒがまだ使用エネルギーの計画値ＰＷｐを上回っていれば（ステップＳ３０９のＮＯ）、温度設定値ｔｓｐ４が系統「ＡＨＵ−４」の制限温度値を上回っているか否かをチェックし、上回っていればステップＳ３１４へ進み、上回っていなければステップＳ３１１へ進む。この場合、温度設定値ｔｓｐ４は２６℃、系統「ＡＨＵ−４」の制限温度値は２８℃未満であり、温度設定値ｔｓｐ４は系統「ＡＨＵ−４」の制限温度値を上回っていない。したがって、ステップＳ３１１へ進む。
【００７８】
ステップＳ３１１では、温度設定値ｔｓｐ４に緩和幅αを加算して、温度設定値ｔｓｐ４を２７℃とする。そして、温度設定値ｔｓｐ４が系統「ＡＨＵ−４」の制限温度値を上回っていないことを確認のうえ（ステップＳ３１２）、温度設定値ｔｓｐ４を空調機ＡＨＵ４に出力し（温度設定値ｔｓｐ４の２７℃への変更を行い）、所定の効果時間を待って、エネルギーの使用量ＰＷｒが使用エネルギーの計画値ＰＷｐ以下となったか否かを確認する（ステップＳ３１３）。
【００７９】
ここで、エネルギーの使用量ＰＷｒがまだ使用エネルギーの計画値ＰＷｐを上回っていれば（ステップＳ３１３のＮＯ）、温度設定値ｔｓｐ４にさらに緩和幅αを加算して（ステップＳ３１１）、温度設定値ｔｓｐ４を２８℃とする。
【００８０】
〔優先順位第２位の系統〕
ここで、温度設定値ｔｓｐ４＝２８℃は系統「ＡＨＵ−４」の制限温度値である２８℃未満を上回っている（ステップＳ３１２のＹＥＳ）。このため、設定値管理装置２は、温度設定値ｔｓｐ４の２８℃への変更は行わずに、優先順位ＮをＮ＋１＝２（第２位）とし（ステップＳ３１４）、優先順位Ｎ＝２の系統「ＡＨＵ−３」の温度設定値ｔｓｐ３を基準設定値ｔｒ３とする（ステップＳ３０８）。そして、温度設定値ｔｓｐ３を空調機ＡＨＵ３に出力し（温度設定値ｔｓｐ３の２６℃への変更を行い）、所定の効果時間を待って、エネルギーの使用量ＰＷｒが使用エネルギーの計画値ＰＷｐ以下となったか否かを確認する（ステップＳ３０９）。
【００８１】
ここで、エネルギーの使用量ＰＷｒがまだ使用エネルギーの計画値ＰＷｐを上回っていれば（ステップＳ３０９のＮＯ）、温度設定値ｔｓｐ３が系統「ＡＨＵ−３」の制限温度値を上回っているか否かをチェックし、上回っていればステップＳ３１４へ進み、上回っていなければステップＳ３１１へ進む。この場合、温度設定値ｔｓｐ３は２６℃、系統「ＡＨＵ−３」の制限温度値は２７℃未満であり、温度設定値ｔｓｐ３は系統「ＡＨＵ−３」の制限温度値を上回っていない。したがって、ステップＳ３１１へ進む。
【００８２】
ステップＳ３１１では、温度設定値ｔｓｐ３に緩和幅αを加算して、温度設定値ｔｓｐ３を２７℃とする。そして、温度設定値ｔｓｐ３が系統「ＡＨＵ−３」の制限温度値を上回っているか否かをチェックする（ステップＳ３１２）。
【００８３】
〔優先順位第３位の系統〕
ここで、温度設定値ｔｓｐ３＝２７℃は系統「ＡＨＵ−３」の制限温度値である２７℃未満を上回っている（ステップＳ３１２のＹＥＳ）。このため、設定値管理装置２は、温度設定値ｔｓｐ３の２７℃への変更は行わずに、優先順位ＮをＮ＋１＝３（第３位）とし（ステップＳ３１４）、優先順位Ｎ＝３の系統「ＡＨＵ−２」の温度設定値ｔｓｐ２を基準設定値ｔｒ２とする（ステップＳ３０８）。そして、温度設定値ｔｓｐ２を空調機ＡＨＵ２に出力し（温度設定値ｔｓｐ２の２６℃への変更を行い）、所定の効果時間を待って、エネルギーの使用量ＰＷｒが使用エネルギーの計画値ＰＷｐ以下となったか否かを確認する（ステップＳ３０９）。
【００８４】
ここで、エネルギーの使用量ＰＷｒがまだ使用エネルギーの計画値ＰＷｐを上回っていれば（ステップＳ３０９のＮＯ）、温度設定値ｔｓｐ２が系統「ＡＨＵ−２」の制限温度値を上回っているか否かをチェックし、上回っていればステップＳ３１４へ進み、上回っていなければステップＳ３１１へ進む。この場合、温度設定値ｔｓｐ２は２６℃、系統「ＡＨＵ−３」の制限温度値は２６℃未満であり、温度設定値ｔｓｐ２は系統「ＡＨＵ−２」の制限温度値を上回っている。したがって、ステップＳ３１４へ進む。
【００８５】
これにより、設定値管理装置２は、優先順位ＮをＮ＋１＝４（第４位）とし（ステップＳ３１４）、優先順位Ｎ＝４の系統「ＡＨＵ−１」の温度設定値ｔｓｐ１を基準設定値ｔｒ１とする（ステップＳ３０８）。そして、温度設定値ｔｓｐ１を空調機ＡＨＵ１に出力し（温度設定値ｔｓｐ１の２６℃への変更を行い）、所定の効果時間を待って、エネルギーの使用量ＰＷｒが使用エネルギーの計画値ＰＷｐ以下となったか否かを確認する（ステップＳ３０９）。
【００８６】
ここで、エネルギーの使用量ＰＷｒがまだ使用エネルギーの計画値ＰＷｐを上回っていれば（ステップＳ３０９のＮＯ）、温度設定値ｔｓｐ１が系統「ＡＨＵ−１」の制限温度値を上回っているか否かをチェックし、上回っていればステップＳ３１４へ進み、上回っていなければステップＳ３１１へ進む。この場合、温度設定値ｔｓｐ１は２６℃、系統「ＡＨＵ−１」の制限温度値は２５℃未満であり、温度設定値ｔｓｐ１は系統「ＡＨＵ−１」の制限温度値を上回っている。したがって、ステップＳ３１４へ進む。
【００８７】
設定値管理装置２は、ステップＳ３１４において、優先順位ＮをＮ＋１＝５とする。この場合、優先順位Ｎ＝５は、最大優先順位Ｎｍａｘ（この例では、Ｎｍａｘ＝４）を超えているので（ステップＳ３０７のＹＥＳ）、一連の省エネルギー動作を終了する。
【００８８】
なお、上述した省エネルギー動作の過程において、エネルギーの使用量ＰＷｒが使用エネルギーの計画値ＰＷｐ以下となった場合には（ステップＳ３０９，Ｓ３１３のＹＥＳ）、温度設定値の変更で対処することができたものとして、その時点で省エネルギー動作を終了する。
【００８９】
また、上述した例において、系統「ＡＨＵ−１」，「ＡＨＵ−２」では省エネルギー設定値がその系統の制限温度値を上回っているので、制限温度値に到達するまでの温度設定値の変更（緩和）は行われないが、省エネルギーの設定値が制限温度値を上回っていなければ、すなわち制限温度値を超えていなければ、系統「ＡＨＵ−１」，「ＡＨＵ−２」でも系統「ＡＨＵ−３」，「ＡＨＵ−４」と同様にして温度設定値の変更（緩和）が行われて行く。
【００９０】
このようにして、この省エネルギー機能の第２例では、冷房の場合、省エネルギー設定値を基準設定値とし、各系統について基準設定値と運用履歴上で最も頻度の高い温度設定値との偏差Δｔを求め、この偏差Δｔの小さい方から順に優先順位をつけることにより、省エネルギー設定値と比較して、過去の運用がより快適性を犠牲にしている系統から温度設定値の変更が行われて行くものとなり、すなわち比較的クレームが出る確率が少ない系統からその温度設定値の変更が行われて行くものとなり、省エネルギーを実現しながら、系統が異なる被空調空間の快適性の犠牲を実質的に軽減することができるようになる。なお、この例では偏差Δｔの小さい方から順に優先順位をつけるようにしたが、偏差Δｔの大きい方から順に優先順位をつけるようにすれば、より省エネを得やすくなる。
【００９１】
〔暖房の場合〕
暖房の場合のフローチャートを図１０に示す。設定値管理装置２は、システム全体の現在のエネルギーの使用量ＰＷｒを監視し、このエネルギーの使用量ＰＷｒが使用エネルギーの計画値ＰＷｐを上回ると（ステップＳ４０１のＹＥＳ）、以下に説明する省エネルギー動作を開始する。
【００９２】
〔制限温度値の決定〕
設定値管理装置２は、省エネルギー動作として、先ず、各系統の温度設定値の制限値（制限温度値）を決定する（ステップＳ４０２）。この場合、暖房時の温度設定値の運用履歴（図３）において、累積時間が書き込まれている区分（温度帯）中、最も低い温度帯の下限温度値を制限温度値とする。
【００９３】
この例では、図１１に示すように、系統「ＡＨＵ−１」の制限温度値が２０℃（２０℃〜の区分の下限温度値）とされ、系統「ＡＨＵ−２」の制限温度値が２１℃（２１℃〜の区分の下限温度値）とされ、系統「ＡＨＵ−３」の制限温度値が２２℃（２２℃〜の区分の下限温度値）とされ、系統「ＡＨＵ−４」の制限温度値が２３℃（２３℃〜の区分の下限温度値）とされる。なお、この制限温度値は、運用履歴を用いないで、手入力で設定してもよい。
【００９４】
〔優先順位の決定〕
次に、設定値管理装置２は、各系統の省エネルギーの設定値を基準設定値とする（ステップＳ４０３）。この例では、各系統の省エネルギーの設定値が２０℃として定められているので、系統「ＡＨＵ−１」の基準設定値ｔｒ１、系統「ＡＨＵ−２」の基準設定値ｔｒ２、系統「ＡＨＵ−３」の基準設定値ｔｒ３、系統「ＡＨＵ−４」の基準設定値ｔｒ４は、何れも２０℃とされる。
【００９５】
次に、設定値管理装置２は、各系統について基準設定値と運用履歴上で最も頻度の高い温度設定値との偏差Δｔを下記（４）式によって求める（ステップＳ４０４）。なお、この例でも、運用履歴中の累積時間の最も長い区分を最も頻度の高い区分とし、その区分（温度幅）の中央値を運用履歴上で最も頻度の高い温度設定値とする。
Δｔ＝基準設定値（省エネルギーの設定値）−運用履歴上で最も頻度の高い温度設定値  ・・・・（４）
【００９６】
この場合、運用履歴上で最も頻度の高い温度設定値は、系統「ＡＨＵ−１」では２１．５℃、系統「ＡＨＵ−２」では２２．５℃、系統「ＡＨＵ−３」では２３．５℃、系統「ＡＨＵ−４」では２４．５℃となる。したがって、系統「ＡＨＵ−１」の偏差Δｔ１はΔｔ１＝２０−２１．５＝−１．５、系統「ＡＨＵ−２」の偏差Δｔ２はΔｔ２＝２０−２２．５＝−２．５、系統「ＡＨＵ−３」の偏差Δｔ３はΔｔ３＝２０−２３．５＝−３．５、系統「ＡＨＵ−４」の偏差Δｔ４はΔｔ４＝２０−２４．５＝−４．５となる。
【００９７】
そして、設定値管理装置２は、この求めた系統毎の偏差Δｔに基づいて、Δｔの大きい方から順に優先順位をつける（ステップＳ４０５）。この例では、Δｔ１＝−１．５、Δｔ２＝−２．５、Δｔ３＝−３．５、Δｔ４＝−４．５として得られるので、系統「ＡＨＵ−１」、系統「ＡＨＵ−２」、系統「ＡＨＵ−３」、「ＡＨＵ−４」の順に優先順位がつけられる。この場合、系統「ＡＨＵ−１」が優先順位第１位、「ＡＨＵ−２」が優先順位第２位、系統「ＡＨＵ−３」が優先順位第３位、系統「ＡＨＵ−４」が優先順位第４位とされる。
【００９８】
〔優先順位に従う系統毎の温度設定値の変更〕
〔優先順位第１位の系統〕
次に、設定値管理装置２は、Ｎ＝１とし（ステップＳ４０６）、優先順位Ｎ＝１（第１位）の系統「ＡＨＵ−１」の温度設定値ｔｓｐ１を基準設定値ｔｒ１とする（ステップＳ４０８）。そして、温度設定値ｔｓｐ１を空調機ＡＨＵ１に出力し（温度設定値ｔｓｐ１の２０℃への変更を行い）、所定の効果時間を待って、エネルギーの使用量ＰＷｒが使用エネルギーの計画値ＰＷｐ以下となったか否かを確認する（ステップＳ４０９）。
【００９９】
ここで、エネルギーの使用量ＰＷｒがまだ使用エネルギーの計画値ＰＷｐを上回っていれば（ステップＳ４０９のＮＯ）、温度設定値ｔｓｐ１が系統「ＡＨＵ−１」の制限温度値を下回っているか否かをチェックし、下回っていればステップＳ４１４へ進み、下回っていなければステップＳ３１１へ進む。この場合、温度設定値ｔｓｐ１は２０℃、系統「ＡＨＵ−１」の制限温度値は２０℃であり、温度設定値ｔｓｐ１は系統「ＡＨＵ−１」の制限温度値を下回っていない。したがって、ステップＳ４１１へ進む。
【０１００】
ステップＳ４１１では、温度設定値ｔｓｐ４に緩和幅βを加算して、温度設定値ｔｓｐ１を１９℃とする。そして、温度設定値ｔｓｐ１が系統「ＡＨＵ−１」の制限温度値を下回っているか否かをチェックし、下回っていればステップＳ３１４へ進み、下回っていなければステップＳ４１３へ進む。この場合、この場合、温度設定値ｔｓｐ１は１９℃、系統「ＡＨＵ−１」の制限温度値は２０℃であり、温度設定値ｔｓｐ１は系統「ＡＨＵ−１」の制限温度値を下回っている。したがって、ステップＳ４１４へ進む。
【０１０１】
〔優先順位第２位の系統〕
これにより、設定値管理装置２は、優先順位ＮをＮ＋１＝２（第２位）とし（ステップＳ４１４）、優先順位Ｎ＝２の系統「ＡＨＵ−２」の温度設定値ｔｓｐ２を基準設定値ｔｒ２とする（ステップＳ４０８）。そして、温度設定値ｔｓｐ２を空調機ＡＨＵ２に出力し（温度設定値ｔｓｐ２の２０℃への変更を行い）、所定の効果時間を待って、エネルギーの使用量ＰＷｒが使用エネルギーの計画値ＰＷｐ以下となったか否かを確認する（ステップＳ４０９）。
【０１０２】
ここで、エネルギーの使用量ＰＷｒがまだ使用エネルギーの計画値ＰＷｐを上回っていれば（ステップＳ４０９のＮＯ）、温度設定値ｔｓｐ２が系統「ＡＨＵ−２」の制限温度値を下回っているか否かをチェックし、下回っていればステップＳ４１４へ進み、下回っていなければステップＳ４１１へ進む。この場合、温度設定値ｔｓｐ２は２０℃、系統「ＡＨＵ−２」の制限温度値は２１℃であり、温度設定値ｔｓｐ２は系統「ＡＨＵ−２」の制限温度値を下回っている。したがって、ステップＳ４１４へ進む。
【０１０３】
〔優先順位第３位の系統〕
これにより、設定値管理装置２は、優先順位ＮをＮ＋１＝３（第３位）とし（ステップＳ４１４）、優先順位Ｎ＝３の系統「ＡＨＵ−３」の温度設定値ｔｓｐ３を基準設定値ｔｒ３とする（ステップＳ４０８）。そして、温度設定値ｔｓｐ３を空調機ＡＨＵ３に出力し（温度設定値ｔｓｐ３の２０℃への変更を行い）、所定の効果時間を待って、エネルギーの使用量ＰＷｒが使用エネルギーの計画値ＰＷｐ以下となったか否かを確認する（ステップＳ４０９）。
【０１０４】
ここで、エネルギーの使用量ＰＷｒがまだ使用エネルギーの計画値ＰＷｐを上回っていれば（ステップＳ４０９のＮＯ）、温度設定値ｔｓｐ３が系統「ＡＨＵ−３」の制限温度値を下回っているか否かをチェックし、下回っていればステップＳ４１４へ進み、下回っていなければステップＳ４１１へ進む。この場合、温度設定値ｔｓｐ３は２０℃、系統「ＡＨＵ−３」の制限温度値は２２℃であり、温度設定値ｔｓｐ３は系統「ＡＨＵ−３」の制限温度値を下回っている。したがって、ステップＳ４１４へ進む。
【０１０５】
〔優先順位第４位の系統〕
これにより、設定値管理装置２は、優先順位ＮをＮ＋１＝４（第４位）とし（ステップＳ４１４）、優先順位Ｎ＝４の系統「ＡＨＵ−４」の温度設定値ｔｓｐ４を基準設定値ｔｒ３とする（ステップＳ４０８）。そして、温度設定値ｔｓｐ４を空調機ＡＨＵ４に出力し（温度設定値ｔｓｐ４の２０℃への変更を行い）、所定の効果時間を待って、エネルギーの使用量ＰＷｒが使用エネルギーの計画値ＰＷｐ以下となったか否かを確認する（ステップＳ４０９）。
【０１０６】
ここで、エネルギーの使用量ＰＷｒがまだ使用エネルギーの計画値ＰＷｐを上回っていれば（ステップＳ４０９のＮＯ）、温度設定値ｔｓｐ４が系統「ＡＨＵ−４」の制限温度値を下回っているか否かをチェックし、下回っていればステップＳ４１４へ進み、下回っていなければステップＳ４１１へ進む。この場合、温度設定値ｔｓｐ４は２０℃、系統「ＡＨＵ−４」の制限温度値は２３℃であり、温度設定値ｔｓｐ４は系統「ＡＨＵ−４」の制限温度値を下回っている。したがって、ステップＳ４１４へ進む。
【０１０７】
設定値管理装置２は、ステップＳ４１４において、優先順位ＮをＮ＋１＝５とする。この場合、優先順位Ｎ＝５は、最大優先順位Ｎｍａｘ（この例では、Ｎｍａｘ＝４）を超えているので（ステップＳ４０７のＹＥＳ）、一連の省エネルギー動作を終了する。
【０１０８】
なお、上述した省エネルギー動作の過程において、エネルギーの使用量ＰＷｒが使用エネルギーの計画値ＰＷｐ以下となった場合には（ステップＳ４０９，Ｓ４１３のＹＥＳ）、温度設定値の変更で対処することができたものとして、その時点で省エネルギー動作を終了する。
【０１０９】
また、上述した例において、系統「ＡＨＵ−２」，「ＡＨＵ−３」，「ＡＨＵ−４」では省エネルギー設定値がその系統の制限温度値を下回っているので、制限温度値に到達するまでの温度設定値の変更（緩和）は行われないが、省エネルギーの設定値が制限温度値を下回っていなければ、すなわち制限温度値を超えていなければ、系統「ＡＨＵ−２」，「ＡＨＵ−３」，「ＡＨＵ−４」でも系統「ＡＨＵ−１」と同様にして温度設定値の変更（緩和）が行われて行く。
【０１１０】
このようにして、この省エネルギー機能の第２例では、暖房の場合、省エネルギー設定値を基準設定値とし、各系統について基準設定値と運用履歴上で最も頻度の高い温度設定値との偏差Δｔを求め、この偏差Δｔの大きい方から順に優先順位をつけることにより、省エネルギー設定値と比較して、過去の運用がより快適性を犠牲にしている系統から温度設定値の変更が行われて行くものとなり、すなわち比較的クレームが出る確率が少ない系統からその温度設定値の変更が行われて行くものとなり、省エネルギーを実現しながら、系統が異なる被空調空間の快適性の犠牲を実質的に軽減することができるようになる。なお、この例では偏差Δｔの大きい方から順に優先順位をつけるようにしたが、偏差Δｔの小さい方から順に優先順位をつけるようにすれば、より省エネを得やすくなる。
【０１１１】
〔温度設定値の周期的な緩和〕
上述した実施の形態では、例えば省エネルギー機能の第１例の冷房の場合を例にとると、優先順位第１位の系統「ＡＨＵ−４」の温度設定値ｔｓｐ４を緩和して行く場合、先ず、現在の温度設定値２５℃に緩和幅α（＋１℃）を加算することにより、温度設定値ｔｓｐ４が２６℃に変更（緩和）される。
【０１１２】
ここで、一方的に温度設定値を２５℃から２６℃に緩和するようにしてもよいが、一度緩和した後、少し時間をおいて元に戻すという動作を繰り返し、周期的に快適な状況を作り出すことによって、居住者の快適性をある程度確保しながら、省エネルギーを行って行くようにしてもよい。
【０１１３】
この場合、系統「ＡＨＵ−４」における温度設定値ｔｓｐ４の２５℃から２６℃への変更後（図１２に示すｔ１点）、室内温度の計測値ｔｐｖ４を監視し、この室内温度の計測値ｔｐｖ４が変更された温度設定値２６℃に到達したら（図１２に示すｔ２点）、予め定められた所定時間ＴＡの経過を待って（図１２に示すｔ３点）、変更された温度設定値２６℃を徐々に変更前の設定値２５℃に戻して行く。
【０１１４】
そして、温度設定値ｔｓｐ４が変更前の設定値２５℃に達したら（図１２に示すｔ４点）、予め定められた所定時間ＴＢの間、その変更前の設定値２５℃を維持する。そして、再び、温度設定値ｔｓｐ４を２５℃から２６℃へ変更し（図１２に示すｔ５点）、以下同様の動作を繰り返す。
【０１１５】
この動作中、所定の効果時間を待っても、エネルギーの使用量ＰＷｒが使用エネルギーの計画値ＰＷｐ以下とならなければ、温度設定値ｔｓｐ４を２６℃から２７℃へ変更し、そこでも同様の動作を繰り返す。
【０１１６】
なお、この例では、変更前の設定値に復帰させるようにしたが、完全に変更前の設定値に復帰させなくてもよく、例えば、変更前の設定値と変更前の設定値との間の中間値に復帰させるなどとしてもよい。
【０１１７】
また、この例では、系統「ＡＨＵ−４」の温度設定値ｔｓｐ４を緩和して行く場合を例にとって説明したが、他の系統でも同様の動作を繰り返すようにする。また、省エネルギー機能の第１例の冷房の場合を例にとって説明したが、省エネルギー機能の第１例の暖房の場合でも、また省エネルギー機能の第２例の冷房や暖房の場合でも、同様の動作を行わせるようにする。
【０１１８】
また、この温度設定値の周期的な緩和は、緩和幅を設けずに温度設定値を変更する場合であっても、適用することが可能である。
【産業上の利用可能性】
【０１１９】
本発明の設定値管理方法および装置は、エネルギー使用量が使用エネルギー計画値を上回る場合に被空調空間に対して定められている温熱環境の設定値を省エネルギー方向へ変更する設定値管理方法および装置として、テナントビルなどの各種の建物における省エネルギー施策を実施する場合に利用することが可能である。
【符号の説明】
【０１２０】
１−１〜１−４…被空調空間、ＡＨＵ１〜ＡＨＵ４…空調機、ＵＴ１〜ＵＴ４…室内温度調節器、Ｓ１〜Ｓ４…室内温度センサ、２…設定値管理装置、２Ａ…温度設定値の運用履歴の作成機能、２Ｂ…省エネルギー機能、ＴＢ１…運用履歴テーブル（冷房時）、ＴＢ２…運用履歴テーブル（暖房時）。
【図１】
0005503424.tif 000002
【図２】
0005503424.tif 000003
【図３】
0005503424.tif 000004
【図４】
0005503424.tif 000005
【図５】
0005503424.tif 000006
【図６】
0005503424.tif 000007
【図７】
0005503424.tif 000008
【図８】
0005503424.tif 000009
【図９】
0005503424.tif 000010
【図１０】
0005503424.tif 000011
【図１１】
0005503424.tif 000012
【図１２】
0005503424.tif 000013